(57)【特許請求の範囲】
【請求項１】
保守点検用の窓穴を備え、内部に電子機器部材を収納する筐体と、
前記筐体に設けられ、所定間隔を介して対峙する第１及び第２の支軸と、
前記第１の支軸に嵌合し得る第１の溝穴と、前記第２の支軸に嵌合し得る第２の溝穴を備え、前記嵌合した第１及び第２の支軸の中心を回動中心点として回転可能に構成された窓カバーと、
を備え、
前記窓カバーは、前記窓穴を閉鎖している状態から、前記第１及び第２の支軸を支点として所定方向へ回動することにより前記窓穴を開放し、且つ前記窓穴を開放した状態で少なくとも一部分が前記窓穴の内部に収納され得るように構成され、
前記窓カバーの前記回動中心点をＰ、前記回動中心点Ｐから前記窓穴の内面と対向する前記窓カバーの端面までの最小端面距離をＬ、前記窓カバーの前記回動中心点Ｐから前記窓カバーの外面までの外面厚さをＴ1、前記窓穴の内面と前記窓カバーの前記端面との間隔をＧ、前記窓カバーの前記回動中心点Ｐから前記窓カバーの前記端面までの最大寸法をｙとしたとき、
前記窓カバーは、Ｌ＞Ｔ１、且つ、Ｇ≧ｙ−Ｌ≧０の関係を満たすように構成されている、
ことを特徴とする電子機器ユニット。
【請求項２】
保守点検用の窓穴を備え、内部に電子機器部材を収納する筐体と、
前記筐体に設けられ、所定間隔を介して対峙する第１及び第２の支軸と、
前記第１の支軸に嵌合し得る第１の溝穴と、前記第２の支軸に嵌合し得る第２の溝穴を備え、前記嵌合した第１及び第２の支軸の中心を回動中心点として回転可能に構成された窓カバーと、
を備え、
前記窓カバーは、前記窓穴を閉鎖している状態から、前記第１及び第２の支軸を支点として所定方向へ回動することにより前記窓穴を開放し、且つ前記窓穴を開放した状態で少なくとも一部分が前記窓穴の内部に収納され得るように構成され、
前記窓カバーの前記回動中心点をＰ、前記回動中心点Ｐから前記窓穴の内面と対向する前記窓カバーの仮想端面までの最小端面距離をＬ、前記窓カバーの前記回動中心点Ｐから前記窓カバーの外面までの外面厚さをＴ1、前記窓穴の内面と前記窓カバーの前記仮想端面との間隔をＧ、前記窓カバーの前記回動中心点Ｐから前記窓穴の内面までの距離をＲとしたとき、
前記窓カバーは、Ｌ＞Ｔ１の関係を満たし、且つ、前記回動中心点Ｐを中心とする所定の半径ｙの円弧の一部の形状を備えて前記仮想端面から前記窓穴の内面側に突出して前記窓穴の内面に対向する端面を備え、ｙ≦Ｒの関係を満たすように構成されている、
ことを特徴とする電子機器ユニット。
【請求項３】
前記窓穴の内面に設けられた背面レールを備え、
前記窓穴の内面からの前記背面レールの高さ寸法ｈは、前記窓カバーの前記回動中心点Ｐと前記窓穴の内面までの距離Ｒから、前記外面厚さＴ1を減じた値以下の寸法に形成されている、
ことを特徴とする請求項１又は２に記載の電子機器ユニット。
【請求項４】
前記窓カバーは、板状部と、前記板状部の一方の端部に形成された第１の折曲部と、前記一方の端部に対向する前記板状部の他方の端部に形成された第２の折曲部とを備え、
前記第１の折曲部は、第１の支軸嵌入凸部と、前記第１支軸嵌入凸部により囲まれた第１の支軸嵌入凹面とを備え、
前記第２の折曲部は、第２の支軸嵌入凸部と、前記第２支軸嵌入凸部により囲まれた第２の支軸嵌入凹面とを備え、
前記第１の溝穴は、前記第１の支軸嵌入凸部と前記第１の支軸嵌入凹面とにより形成され、
前記第２の溝穴は、前記第２の支軸嵌入凸部と前記第２の支軸嵌入凹面とにより形成され、
前記第１の支軸嵌入凸部は、前記第１の支軸嵌入凹面からの高さ寸法が、前記第１の支軸嵌入凹面側の外側に向かって漸次小さくなるように形成された第１の支軸挿入斜面部を備え、
前記第２の支軸嵌入凸部は、前記第２の支軸嵌入凹面からの高さ寸法が、前記第２の支軸嵌入凹面側の外側に向かって漸次小さくなるように形成された第２の支軸挿入斜面部を備え、
前記窓穴へ前記窓カバーを装着するときは、前記第１及び第２の支軸の端部が前記第１及び第２の支軸挿入斜面部をそれぞれ押圧して前記板状部を湾曲させることにより、前記第１及び第２の支軸の端部を前記第１及び第２の支軸嵌入斜面部を超えさせてそれぞれ前記第１及び第２の溝穴に嵌合させる、
ことを特徴とする請求項１から３のうちの何れか一項に記載の電子機器ユニット。
【請求項５】
前記筐体に設けられ、第２の所定の間隔を介して対峙する第１及び第２のクックと、
前記第１の支軸嵌入凸部に設けられ、前記第１の支軸嵌入凹面からの高さ寸法が、前記第１の支軸嵌入凹面側の外側に向かって漸次小さくなるように形成された第１のフック挿入斜面部と、
前記第２の支軸嵌入凸部に設けられ、前記第２の支軸嵌入凹面からの高さ寸法が、前記第２の支軸嵌入凹面側の外側に向かって漸次小さくなるように形成された第２のフック挿入斜面部と、
前記第１の支軸嵌入凸部に設けられ、前記第１の支軸嵌入凹面からの高さ寸法が、前記第１の支軸嵌入凹面側の内側に向かって漸次小さくなるように形成された第１のフック脱出斜面部と、
前記第２の支軸嵌入凸部に設けられ、前記第２の支軸嵌入凹面からの高さ寸法が、前記第２の支軸嵌入凹面側の内側に向かって漸次小さくなるように形成された第２のフック脱出斜面部と、
前記窓穴へ前記窓カバーを装着するときは、前記第１及び第２のフックの端部が前記第１及び第２のフック挿入斜面部をそれぞれ押圧して前記板状部を湾曲させることにより、前記第１及び第２のフックの端部を前記第１及び第２の支軸嵌入斜面部を超えさせてそれぞれ前記第１及び第２の溝穴に嵌合させ、
前記窓カバーを前記第１及び第２の支軸を結ぶ仮想線を回動中心軸として回動させて前記窓穴を開放するときは、前記第１及び第２のフックの端部が前記第１及び第２のフック脱出斜面部を押圧して前記板状部を湾曲させることにより、前記第１及び第２のフックの端部を前記第１及び第２の溝穴から脱出させ、
前記窓カバーを前記回動中心軸として回動させて前記窓穴を閉鎖するときは、前記第１及び第２のフックの端部が前記第１及び第２のフック挿入斜面部をそれぞれ押圧して前記板状部を湾曲させることにより、前記第１及び第２のフックの端部を前記第１及び第２の支軸嵌入斜面部を超えさせてそれぞれ前記第１及び第２の溝穴に嵌合させる、
ことを特徴とする請求項４に記載の電子機器ユニット。
【請求項６】
前記板状部は、前記一方の端部と他方の端部に対して直交する方向に延びて前記第１の折曲部と前記第２の折曲部とを連結する連結梁を備え、
前記第１の支軸は、前記窓カバーが前記窓穴を閉鎖しているときは、前記連結梁と前記第１の折曲部との連結部から所定の距離を介した位置で前記窓カバーの前記第１の溝穴に嵌合し、
前記第２の支軸は、前記窓カバーが前記窓穴を閉鎖しているときは、前記連結梁と前記第２の折曲部との連結部から前記所定の距離を介した位置で前記窓カバーの前記第２の溝穴に嵌合し、
前記第１のフック軸は、前記窓カバーが前記窓穴を閉鎖しているときは、前記連結梁と前記第１の折曲部との連結部から前記所定の距離の１／２以上の距離を介した位置で前記窓カバーの前記第１の溝穴に嵌合し、
前記第２のフックは、前記窓カバーが前記窓穴を閉鎖しているときは、前記連結梁と前記第２の折曲部との連結部から前記所定の距離の１／２以上の距離を介した位置で前記窓カバーの前記第２の溝穴に嵌合し、
前記第１の支軸の端部は、前記第１の支軸挿入斜面部に当接し得る第１の支軸嵌入斜面部を備え、
前記第２の支軸の端部は、前記第２の支軸挿入斜面部に当接し得る第２の支軸嵌入斜面部を備え、
前記第１のフックの端部は、前記第１のフック挿入斜面部に当接し得る第１のフック嵌入斜面部と、前記第１のフック脱出斜面部に当接し得る第１のフック抜出斜面部を備え、
前記第２のフックの端部は、前記第２のフック挿入斜面部に当接し得る第２のフック嵌入斜面部と、前記第２のフック脱出斜面部に当接し得る第２のフック抜出斜面部を備えている、
ことを特徴とする請求項５に記載の電子機器ユニット。
【請求項７】
前記第２の所定間隔は、前記第１の所定間隔より大きく設定されている、
ことを特徴とする請求項５又は６に記載の電子機器ユニット。
【請求項８】
前記第１及び第２の支軸挿入斜面部と前記第１及び第２の支軸嵌入凹面との最大落差は、前記第１及び第２のフック挿入斜面部と前記第１及び第２の支軸嵌入凹面との最大落差よりも大きく設定されている、
ことを特徴とする請求項５又は６に記載の電子機器ユニット。
【請求項９】
前記窓カバーの前記回動中心軸に対して直交する前記窓穴の内面に突設され、前記第１の支軸と前記第１のフックとの間の位置で前記回動中心軸と直交する方向に延びる第１のガイドレールと、
前記窓カバーの前記回動中心軸に対して直交する前記窓穴の他方の内面に突設され、前記第２の支軸と前記第２のフックとの間の位置で前記回動中心軸と直交する方向に延びる第２のガイドレールと、
前記窓カバーの前記回動中心軸に対して平行する前記窓穴の内面に突設され、前記回動中心軸と直交する方向に延びる背面レールと、
を備え、
前記窓カバーは、前記第１及び第２のガイドレールと前記背面レールにより挟持されて、前記窓穴内に収納され得るように構成されている、
ことを特徴とする請求項５から８のうちの何れか一項に記載の電子機器ユニット。
【請求項１０】
前記窓カバーの前記第１の折曲部は、前記窓カバーが前記第１のガイドレールの先端部分に当接し得る第１のガイドレール当接凹部を備え、
前記窓カバーの前記第２の折曲部は、前記第２のガイドレールの先端部分に当接し得る第２のガイドレール当接凹部を備え、
前記第１及び第２のガイドレール当接凹部は、台形若しくは円弧形状に形成され、
前記第１及び第２のガイドレールの先端部は、台形若しくは円弧形状に形成されており、
前記窓カバーが前記窓穴を閉鎖しているとき、前記第１及び第２のガイドレール当接凹部と前記第１及び第２のガイドレールの先端部とが当接していることにより、前記窓カバーの端面と前記窓穴の内面との間隙が所定の寸法に維持されるように求心移動する、
ことを特徴とする請求項９に記載の小窓カバーを有する電子機器ユニット。
【請求項１１】
前記筐体は、分離可能に相互に固定されるベースと本体カバーとにより構成され、
前記ベース又は前記本体カバーのうちの少なくとも一方には、前記電子機器部材としての回路基板が収納されており、
前記回路基板は、可変抵抗又はスイッチ等を調整若しくは選択するための操作部品と、メモリカード若しくは電池等の取換部品若しくは交換部品に対するコネクタと、外部機器をシリアル信号回線で接続するための通信用コネクタと、のうちの少なくとも何れか一つの部品を備え、
前記本体カバーの外面は、１個又は複数個の前記窓穴によって開口し、内部には前記少なくとも前記何れか一つの部品が配置されていて、前記窓穴は１個又は複数個の前記窓カバーによって閉鎖されている、
ことを特徴とする請求項１から１０のうちの何れか一項に記載の電子機器ユニット。 
【発明の詳細な説明】
【技術分野】
【０００１】
この発明は、例えばプログラマブルコントローラのような電子機器ユニットに関し、特に、保守点検を容易にするために筐体の外面に設けられた窓穴を閉鎖又は開放するために設けられた窓カバーを有する電子機器ユニットの改良に関するものである。
【背景技術】
【０００２】
プログラマブルコントローラのような電子機器ユニットに於いて、筐体内に収納され、常時は取扱の対象とはならないが例外的に取扱操作が行われる部品を、窓カバー（以下、小窓カバーと称する）によって隠しておいて、適時に小窓カバーを開けてその部品の操作を行うことは慣用手法となっている。このような目的で使用される小窓カバーには、弾力性のある成形品カバーをその弾力性を利用して窓穴に強制的に挿入されて窓穴に装着され、適時にその窓穴から弾力性を利用して強制的に抜き取られて窓穴を開放するように構成された小窓カバー、或いは板金カバーを窓穴の外面にねじ止めするように構成された小窓カバーがある。これ等の小窓カバーは、着脱方式の小窓カバーであって、ここでは第一の形態の小窓カバーと称する。
【０００３】
又、別の小窓カバーとして、蝶番により開閉操作できるように小窓に枢着された小窓カバーがある。この枢着方式の小窓カバーをここでは第二の形態の小窓カバーと称する。第二の形態の小窓カバーの変形例として、蝶番で枢着された小窓カバーに取扱対象部品を搭載したカンガルーポケット方式の小窓カバーも存在する。
【０００４】
例えば特許文献１の図６に示された従来のユニット形プログラマブルコントローラによれば、第一のカバー部材１０１によって、外部ツール接続コネクタと、ラン／ストップスイッチと、アナログボリュームとが覆われており、その他、第二および第三のカバー部材１０２、１０３によって、特殊アダプタの接続コネクタやバッテリ接続コネクタが覆われている。特許文献１に示された第一、第二、及び第三のカバー部材は、弾力性を有する樹脂成形品で形成されており、本体であるプログラマブルコントローラに嵌め込んで装着されるようになっている。
【０００５】
又、特許文献２の図１に示された従来の筐体小窓の蓋構造体によれば、両端に突起状の軸２６を有するフタベース２１と、突起状の軸２６と嵌合し開閉自在としたフタカバー２２とを備え、フタカバー２２には軸２６から着脱自在の開口部２７を設け、フタカバー２２の開動作に於いて開位置限界を超えたときに、フタカバー２２が軸２６から外れて破損を防止するようになっている。
【０００６】
更に、特許文献３の図２に示された従来の電気機器収納箱によれば、電気機器収納箱のカバー２に形成された小窓４内に、小窓扉５を棒状軸部材１１によって枢着し、開いた状態及び閉じた状態で安定保持できる小窓扉５の構造が提示されている。
【先行技術文献】
【特許文献】
【０００７】
【特許文献１】特開２０１０−２５７２１１号公報
【特許文献２】特開２００３−１１４０５８号公報
【特許文献３】特開２００６−２２８９１４号公報
【発明の概要】
【発明が解決しようとする課題】
【０００８】
特許文献１に示された従来のユニット形プログラマブルコントローラは、安価な樹脂製の小窓カバーが使用されているが、小窓カバーが脱着方式であるため小窓の開放時に紛失したり、脱着操作がし難いという課題があった。
【０００９】
特許文献２に示された従来の筐体小窓の蓋構造体は、小窓カバー、つまり蓋カバー２２の開動作による破損の恐れはないが、脱落や紛失の可能性があるとともに、小窓カバーを開放位置に保持するためのツメが破損する恐れがある。又、小窓カバーを開けた状態では、小窓カバーが邪魔になるという課題がある。
【００１０】
特許文献３に示された従来の電気機器収納箱は、小窓カバー、つまり小窓扉５の脱落、紛失の恐れはないが、小窓カバーに無理な外力が加わってヒンジ部が破損したり、小窓カバーを開けた状態では、小窓カバーが邪魔になる等の課題がある。尚、窓穴から操作される対象物が、電子機器関連の小物部品であって、できるだけ対象物品の種別毎に窓穴を設けようとした場合には、小窓カバーは例えば３０［ｍｍ］×２２［ｍｍ］、或いは１５［ｍｍ］×２２［ｍｍ］の平面積となり、窓穴自体が小さいので、小窓カバーが一体になっていると、これが指先回りの邪魔になって、不必要に窓穴を大きくしなければならなくなる課題がある。
【００１１】
この発明は、前述の従来の装置の課題を解決するためになされたもので、第一の目的は、筐体の窓穴を封鎖する開閉自在の小窓カバーの脱落と紛失を防止するとともに、不用意な外力によって小窓カバー、つまり窓カバーが損傷したり、意図しないで閉鎖しないようにした窓カバーを有する電子機器ユニットを提供することである。この発明の第二の目的は、窓カバーの開放状態に於いて、窓内の保守点検操作を行う上で、窓カバーがその操作の邪魔をしないようにすることによって、窓穴面積を小さくすることができる窓カバーを有する電子機器ユニットを提供することである。
【課題を解決するための手段】
【００１２】
この発明による電子機器ユニットは、保守点検用の窓穴を備え、内部に電子機器部材を収納する筐体と、前記筐体に設けられ、所定間隔を介して対峙する第１及び第２の支軸と、前記第１の支軸に嵌合し得る第１の溝穴と、前記第２の支軸に嵌合し得る第２の溝穴を備え、前記嵌合した第１及び第２の支軸の中心を回動中心点として回転可能に構成された窓カバーとを備え、前記窓カバーは、前記窓穴を閉鎖している状態から、前記第１及び第２の支軸を支点として所定方向へ回動することにより前記窓穴を開放し、且つ前記窓穴を開放した状態で少なくとも一部分が前記窓穴の内部に収納され得るように構成され、前記窓カバーの前記回動中心点をＰ、前記回動中心点Ｐから前記窓穴の内面と対向する前記窓カバーの端面までの最小端面距離をＬ、前記窓カバーの前記回動中心点Ｐから前記窓カバーの外面までの外面厚さをＴ1、前記窓穴の内面と前記窓カバーの前記端面との間隔をＧ、前記窓カバーの前記回動中心点Ｐから前記窓カバーの前記端面までの最大寸法をｙとしたとき、前記窓カバーは、Ｌ＞Ｔ１、且つ、Ｇ≧ｙ−Ｌ≧０の関係を満たすように構成されていることを特徴とするものである。
又、この発明による電子機器ユニットは、保守点検用の窓穴を備え、内部に電子機器部材を収納する筐体と、前記筐体に設けられ、所定間隔を介して対峙する第１及び第２の支軸と、前記第１の支軸に嵌合し得る第１の溝穴と、前記第２の支軸に嵌合し得る第２の溝穴を備え、前記嵌合した第１及び第２の支軸の中心を回動中心点として回転可能に構成された窓カバーとを備え、前記窓カバーは、前記窓穴を閉鎖している状態から、前記第１及び第２の支軸を支点として所定方向へ回動することにより前記窓穴を開放し、且つ前記窓穴を開放した状態で少なくとも一部分が前記窓穴の内部に収納され得るように構成され、前記窓カバーの前記回動中心点をＰ、前記回動中心点Ｐから前記窓穴の内面と対向する前記窓カバーの仮想端面までの最小端面距離をＬ、前記窓カバーの前記回動中心点Ｐから前記窓カバーの外面までの外面厚さをＴ1、前記窓穴の内面と前記窓カバーの前記仮想端面との間隔をＧ、前記窓カバーの前記回動中心点Ｐから前記窓穴の内面までの距離をＲとしたとき、前記窓カバーは、Ｌ＞Ｔ１の関係を満たし、且つ、前記回動中心点Ｐを中心とする所定の半径ｙの円弧の一部の形状を備えて前記仮想端面から前記窓穴の内面側に突出して前記窓穴の内面に対向する端面を備え、ｙ≦Ｒの関係を満たすように構成されていることを特徴とするものである。
【発明の効果】
【００１３】
この発明による電子機器ユニットによれば、窓カバーは、窓穴を閉鎖している状態から、一対の支軸を支点として所定方向へ回動することにより窓穴を開放し、且つ窓穴を開放した状態で少なくとも一部分が窓穴の内部に収納され得るように構成されているので、窓カバーの脱落や紛失の恐れがなく、しかも、窓穴の開放時には窓カバーの突出高さを抑制することができるので、窓カバーに障害物が当たる等により窓カバーの支軸部分が破損する危険性が少なくなり、又、開放された窓カバーに触れて不用意に窓穴を閉鎖する等のトラブルを防止することができる効果がある。更に、窓カバーの開放状態に於いて、窓カバーの少なくとも一部分を窓穴内に収納することができるので、窓穴内の保守点検操作を行う上で窓カバーが障害とならず、従って窓穴の面積を小さくすることができる効果がある。そして、その結果として、複数の対象物品の種別に応じた複数の窓カバーを設ければ、必要最小限度の窓穴を開放して必要最小限の窓穴開放面積により保守点検が行える副次的効果を奏することができる。
【図面の簡単な説明】
【００１４】
【図１】この発明の実施の形態１による電子機器ユニットの全体構成を示す斜視図である。
【図２】この発明の実施の形態１による電子機器ユニットの窓穴の内面を示す斜視図である。
【図３】この発明の実施の形態１による電子機器ユニットの小窓カバーの底面部を示す斜視図である。
【図４】図１のＩＶ−ＩＶ線に沿う部分断面図である。
【図５】図１に示すこの発明の実施の形態１による電子機器ユニットの寸法構成の詳細を示す説明図である。
【図６】図５に示すこの発明の実施の形態１による電子機器ユニットの寸法構成の於ける、偏在寸法比に関する特性線図である。
【図７】この発明の実施の形態２による電子機器ユニットの全体構成を示す斜視図である。
【図８】図７のＶＩＩＩ−ＶＩＩＩ線に沿う部分断面図である。
【発明を実施するための形態】
【００１５】
実施の形態１．
（１）構成の詳細な説明
以下、この発明の実施の形態１による電子機器ユニットについて説明する。図１は、この発明の実施の形態１による電子機器ユニットの全体構成を示す斜視図である。図１に於いて、電子機器ユニット１００Ａは、樹脂製のベース１１０と、樹脂製の本体カバー１２０Ａと、ベース１１０に収納された１枚の回路基板１０ａとによって構成されている。尚、回路基板は１枚に限られるものではなく、ベース１１０と本体カバー１２０Ａの何れか一方又は相互に分散して収納された複数枚の回路基板を備えていてもよい。
【００１６】
ベース１１０は、底面１１１と四方のベース周壁面１１２、１１３、１１４、１１５を備えている。本体カバー１２０Ａは、外面１２１と四方の本体カバー周壁面１２２、１２３、１２４、１２５を備えている。ベース１１０と本体カバー１２０Ａは、図示していないネジ止め機構によって相互に固定されることにより、ベース１１０の開口部と本体カバー１２０Ａの開口部が封鎖されて一つの筐体２１０Ａが構成される。本体カバー１２０Ａ、又はベース１１０側に予め固定されている回路基板１０ａには、電子機器部材としての複数の電子回路部品１１と、図示していないメモリカード或いはバッテリ等の取換若しくは交換部品接続用のコネクタ１２、可変抵抗やデイップスイッチ等の調整若しくは選択操作用の部品１３が搭載されている。
【００１７】
本体カバー１２０Ａの外面１２１に開口する窓穴１３０Ａと、この窓穴１３０Ａを開放又は閉鎖するための窓カバーとしての小窓カバー１４０Ａとが設けられており、前述のコネクタ１２と調整用若しくは選択操作用の部品１３とは、この窓穴１３０Ａに対応した位置に配置されている。尚、小窓カバー１４０Ａは、図２により後述する一対の第１及び第２の支軸３１ａ、３１ｂによって窓穴１３０Ａ内に枢着されており、回動中心軸１３１を中心として手動開閉できるように構成されている。
【００１８】
又、ベース１１０の底面１１１には、図示しないＤＩＮレール用のフックが設けられており、図示していない制御盤内のＤＩＮレールに懸架して設置されるようになっている。従って仮に図１の場合とは異なり窓穴１３０Ａが電子機器ユニット１００Ａの側面位置に配置されていたとすると、同じＤＩＮレールに隣接して懸架された他の機器が障害となって、小窓カバー１４０Ａを開放直交位置を越えて回動させることができない状況となる。
【００１９】
図２は、この発明の実施の形態１による電子機器ユニットの窓穴の内面を示す斜視図である。図２に於いて、筐体２１０Ａに於ける本体カバー１２０Ａの外面１２１に開口するように設けられた窓穴１３０Ａの内面には、相対向する一対の第１の窓穴内面１３０ｉと、この第１の窓穴内面１３０ｉと直交する第２の窓穴内面１３０ｊが形成されている。第１の支軸３１ａと第１のフック３２ａは、一対の第１の窓穴内面１３０ｉのうちの一方に突設され、第２の支軸３１ｂと第２のフック３２ｂは、一対の第１の窓穴内面１３０ｉのうちの他方に突設されている。第１及び第２の支軸３１ａ、３１ｂは同一軸線上に配置され、互いの軸方向の端部が所定の間隔を介して対峙している。
【００２０】
第１及び第２のフック３２ａ、３２ｂは同一軸線上に配置され、互いの軸方向の端部が所定の間隔を介して対峙している。第１及び第２の支軸３１ａ、３１ｂの軸線は、小窓カバー１４０Ａの回動中心軸１３１となる。一対の第１の窓穴内面１３０ｉは回動中心軸１３１に対して直交するように形成され、第２の窓穴内面１３０ｊは回動中心軸に対して平行に形成されている。
【００２１】
第１及び第２の支軸３１ａ、３１ｂの軸方向の端部には、窓穴１３０Ａの底面に向けて漸次傾斜する第１及び第２の支軸嵌入斜面部３５ａ、３５ｂがそれぞれ形成されている。又、第１及び第２のフック３２ａ、３２ｂの軸方向の端部には、窓穴１３０Ａの底面に向けて漸次傾斜する第１及び第２のフック嵌入斜面部３６ａ、３６ｂと、窓穴１３０Ａの外部に向けて漸次傾斜する第１及び第２のフック抜出斜面部３７ａ、３７ｂとがそれぞれ形成されている。
【００２２】
第１の窓穴内面１３０ｉには一対の第１及び第２のガイドレール３３ａ、３３ｂが突設され、第２の窓穴内面１３０ｊには一対の第１及び第２の背面レール３４ａ、３４ｂが突設されている。図２では、図の複雑化を避けるために第１及び第２の背面レール３４ａ、３４ｂの第２の窓穴内面１３０ｊからの突出高さの図示は省略している。尚、小窓カバー１４０Ａを、窓穴１３０Ａの閉鎖位置からほぼ９０度回転させて開放位置に移動させると、後述するように、小窓カバー１４０Ａは、第１及び第２の背面レール３４ａ、３４ｂと第１及び第２のガイドレール３３ａ、３３ｂとに挟持されて窓穴内部の方向に摺動し、窓穴１３０Ａ内に一部分を残して格納されるように構成されている。第１及び第２のフック３２ａ、３２ｂは、後述するように、小窓カバー１４０Ａを窓穴１３０Ａの閉鎖位置に保持するために設けられている。
【００２３】
更に、窓穴１３０Ａの底面には、メモリカード或いはバッテリ等の取換若しくは交換部品を接続するためのコネクタ１２（図１参照）に接続される相手側のコネクタの挿入口３８と、可変抵抗或いはデイップスイッチ等の調整用若しくは選択用の操作部品１３（図１参照）を調整若しくは操作するための調整窓３９が設けられている。
【００２４】
図３は、この発明の実施の形態１による電子機器ユニットの小窓カバーの底面部を示す斜視図であって、小窓カバー１４０Ａを底面側から見上げた図である。図３に於いて、小窓カバー１４０Ａは、板状部４１の両端に設けられた一対の第１及び第２の折曲部４２ａ、４２ｂと、一対の第１及び第２の折曲部４２ａ、４２ｂの前端部を連結する連結梁４３とを一体成形した樹脂材で構成されている。
【００２５】
第１及び第２の折曲部４２ａ、４２ｂの外側端面には、それぞれ一対の第１及び第２の支軸嵌入凹面４４ａ、４４ｂ（図３には第２の支軸嵌入凹面４４ｂのみが図示されている）と、これ等の第１及び第２の支軸嵌入凹面４４ａ、４４ｂを取巻く一対の環状の第１及び第２の支軸嵌入凸面４５ａ、４５ｂ（図３には第２の支軸嵌入凸面４５ｂのみが図示されている）が設けられており、これ等の第１及び第２の支軸嵌入凹面４４ａ、４４ｂと第１及び第２の支軸嵌入凸面４５ａ、４５ｂとにより、回動中心軸１３１と直交する方向の小窓カバー１４０Ａの幅方向（以下、小窓カバーの縦幅方向と称する）に延びる一対の
第１及び第２の溝穴５０ａ、５０ｂ（図３には第２の溝穴５０ｂのみが示されている）を構成している。
【００２６】
第１及び第２の支軸嵌入凸面４５ａ、４５ｂに於ける小窓カバー１４０Ａの裏面側に位置する部位には、第１及び第２の支軸嵌入凹面４４ａ、４４ｂからの高さ寸法が、回動中心軸１３１の方向である小窓カバー１４０Ａの幅方向（以下、小窓カバーの横幅方向と称する）に、漸次小さくなるように傾斜して延びる一対の第１及び第２の支軸挿入斜面部４６ａ、４６ｂ（図３には第２の支軸挿入斜面部４６ｂのみが図示されている）が形成されている。
【００２７】
更に、第１及び第２の支軸嵌入凸面４５ａ、４５ｂに於ける小窓カバー１４０Ａの裏面側に位置する部位には、前述の一対の支軸挿入斜面部４６ａ、４６ｂと同様に傾斜して伸びる一対の第１及び第２のフック挿入斜面部４６ａａ、４６ｂｂ（図３には第２のフック挿入斜面部４６ｂｂのみが図示されている）と、この一対の第１及び第２のフック挿入斜面部４６ａ、４６ｂの傾斜方向とは逆方向に傾斜する一対の第１及び第２のフック脱出斜面部４７ａ、４７ｂ（図３には第２のフック脱出斜面部４７ｂのみが図示されている）が形成されている。
【００２８】
更に詳しく説明すれば、第１及び第２の支軸嵌入凹面４４ａ、４４ｂの底面からの第１及び第２の支軸挿入斜面部４６ａ、４６ｂ高さ寸法は、第１及び第２の支軸嵌入凹面４４ａ、４４ｂに接する部位に於いて最も大きく、第１及び第２の支軸嵌入凹面４４ａ、４４ｂから離れるに従って漸次小さくなるように形成されている。又、第１及び第２の支軸嵌入凹面４４ａ、４４ｂの底面からの第１及び第２のフック挿入斜面部４６ａａ、４６ｂｂの高さ寸法は、第１及び第２のフック脱出斜面部４７ａ、４７ｂとの境界に於いて最も高く、この境界から第１及び第２の支軸嵌入凹面４４ａ、４４ｂから離れるに従って漸次小さくなるように形成されている。
【００２９】
又、第１及び第２の支軸嵌入凹面４４ａ、４４ｂの底面からの第１及び第２のフック脱出斜面部４７ａ、４７ｂの高さ寸法は、第１及び第２の支軸嵌入凹面４４ａ、４４ｂに接する部位に於いて最も小さく、第１及び第２のフック挿入斜面部４６ａａ、４６ｂｂとの境界に於いて最も大きくなるように形成されている。第１及び第２のフック挿入斜面部４６ａａ、４６ｂｂと第１及び第２のフック脱出斜面部４７ａ、４７ｂとの境界に於ける第１及び第２の支軸嵌入凹面４４ａ、４４ｂの底面からの高さ寸法は、同一である。
【００３０】
更に、第１の支軸挿入斜面部４６ａに於ける前述の高さ寸法の最も大きな部位と第２の支軸挿入斜面部４６ｂに於ける前述の高さ寸法の最も大きな部位との間の小窓カバーの横幅方向の間隔は、第１の支軸３１ａの軸方向の端部と第２の支軸３１ｂの軸方向の端部との間の小窓カバーの横幅方向の間隔よりも小さく設定され、第１の支軸挿入斜面部４６ａに於ける前述の高さ寸法の最も小さな部位と第２の支軸挿入斜面部４６ｂに於ける前述の高さ寸法の最も小さな部位との間の小窓カバーの横幅方向の間隔は、第１の支軸３１ａの軸方向の端部と第２の支軸３１ｂの軸方向の端部との間の小窓カバーの横幅方向の間隔よりも大きく設定されている。ただし、一対の支軸の端面間隔は支軸端面に設けられた嵌入斜面部を考慮した寸法となっている。
【００３１】
同様に、第１のフック挿入斜面部４６ａａの最も高さ寸法の大きな部位と第２のフック挿入斜面部４６ｂｂの最も高さ寸法の大きな部位との間の小窓カバーの横幅方向の間隔は、第１のフック３２ａの軸方向の端部と第２のフック３２ｂの軸方向の端部との間の小窓カバーの横幅方向の間隔よりも小さく設定され、第１のフック挿入斜面部４６ａａの最も高さ寸法の小さな部位と第２のフック挿入斜面部４６ｂｂの最も高さ寸法の小さな部位との間の小窓カバーの横幅方向の間隔は、第１のフック３２ａの軸方向の端部と第２のフッ
ク３２ｂの軸方向の端部との間の小窓カバーの横幅方向の間隔よりも大きく設定されている。ただし、一対のフックの端面間隔はフック端面に設けられた嵌入斜面部を考慮した寸法となっている。
【００３２】
小窓カバー１４０Ａの第１及び第２の折曲部４２ａ、４２ｂに於ける小窓カバーの裏面側には、小窓カバー１４０Ａが窓穴１３０Ａを閉鎖している状態に於いて、第１及び第２のガイドレール３３ａ、３３ｂの先端部に嵌合して当接する一対の第１及び第２のガイドレール当接凹部４８ａ、４８ｂが設けられている。小窓カバー１４０Ａの反支軸側端面１４０２には、小窓カバー１４０Ａを回動させるときに操作者の指先を係合させるための操作用溝１４０３が形成されている。
【００３３】
図４は、図１のＩＶ−ＩＶ線に沿う部分断面図である。図４に於いて、小窓カバー１４０Ａによって閉鎖されている窓穴１３０Ａの内面は、矢印１３２の方向から操作者の指先を挿入して小窓カバー１４０Ａの反支軸側端面１４０２を持上げて、矢印１３４の方向に小窓カバー１４０Ａを回転させるための指穴空間と、コネクタ挿入口３８と調整窓３９を備える内壁１２６を有している。図４には、対向する一対の第１の窓穴内面１３０ｉのうち図示されていない内面に突設された第２の支軸３１ｂ及び第２のフック３２ｂの断面部分が図示されている。
【００３４】
小窓カバー１４０Ａの第１及び第２のガイドレール当接凹部４８ａ、４８ｂと第１及び第２のガイドレール３３ａ、３３ｂの先端部は、台形又は円弧形状を成しており、小窓カバー１４０Ａを閉鎖したときに相互に求心動作を行って小窓カバー１４０Ａの位置決めを行ない、小窓カバー１４０Ａの支軸側端面１４０１と窓穴１３０Ａの第２の窓穴内面１３０ｊとの間隙寸法が決定されるようになっている。
【００３５】
尚、矢印１３３は、小窓カバー１４０Ａを開放するときに、小窓カバー１４０Ａの反支軸側端面１４０２を斜め上方に持上げようとした場合に作用する開放分力の方向を示しており、第１及び第２のガイドレール３３ａ、３３ｂの先端部は、この開放分力によって小窓カバー１４０Ａの支軸側端面１４０１と窓穴１３０Ａの第２の窓穴内面１３０ｊとが押圧されるのを回避又は押圧分力を軽減するように構成されている。
【００３６】
小窓カバー１４０Ａの支軸側端面１４０１が対向する第２の窓穴内面１３０ｊに設けられた一対の第１及び第２の背面レール３４ａ、３４ｂの高さ寸法ｈは、後述する図５に示すとおり、小窓カバー１４０Ａの回動中心点Ｐと小窓カバー１４０Ａの外面までの外面厚さＴ1と、小窓カバー１４０Ａの回動中心点Ｐと窓穴１３０Ａの第２の窓穴内面１３０ｊまでの内壁面距離Ｒとの差分値［Ｒ−Ｌ］以下の値に設定されており、小窓カバー１４０Ａが図４に示す閉鎖位置に対して直交する開放位置に回動された後、小窓カバー１４０Ａが一対の第１及び第２の背面レール３４ａ、３４ｂと一対の第１及び第２のガイドレール３３ａ、３３ｂとに誘導され、小窓カバー１４０Ａの少なくとも一部が窓穴１３０Ａ内に格納されるように構成されている。
【００３７】
以上の説明では、図４に於いて第１及び第２のフック３２ａ、３２ｂに対応して、第１及び第２のフック挿入斜面部４６ａａ、４６ｂｂを設けるように構成しているが、第１及び第２の支軸挿入斜面部４６ａ、４６ｂを、第１及び第２のフック３２ａ、３２ｂに対応する位置まで延長して、これを第１及び第２のフック挿入斜面部４６ａａ、４６ｂｂとすることもできる。
【００３８】
（２）作用動作の詳細な説明
以下、この発明の実施の形態１による小窓カバーを有する電子機器ユニットに於ける、小窓カバーの開閉動作について詳細に説明する。まず、前述した図１〜図４に於いて、回路基板１０ａを収納したベース１１０と本体カバー１２０Ａとは、相互の開口端を封鎖するように図示していないネジにより一体に固定される。
【００３９】
次に、小窓カバー１４０Ａを窓穴１３０Ａに装着するときには、先ず、図３に示す小窓カバー１４０Ａの裏面側を図２に示す窓穴１３０Ａの開口部に対向させて、小窓カバー１４０Ａを窓穴１３０Ａに軽く嵌め合わせる。このとき、第１及び第２の支軸３１ａ、３１ｂの第１及び第２の支軸嵌入斜面部３５ａ、３５ｂは、小窓カバー１４０Ａの第１及び第２の支軸挿入斜面部４６ａ、４６ｂの表面にそれぞれ当接した状態にあり、又、第１及び第２のフック３２ａ、３２ｂの第１及び第２のフック嵌入斜面部３６ａ、３６ｂは、小窓カバー１４０Ａの第１及び第２のフック挿入斜面部３６ａａ、３６ｂｂの表面にそれぞれ当接した状態にある。
【００４０】
次に、前述のように窓穴１３０Ａに嵌め合わされている小窓カバー１４０Ａの外表面、特に第１及び第２の支軸３１ａ、３１ｂと第１及び第２のフック３２ａ、３２ｂに対応する部分の外表面を、窓穴１３０Ａの底面に向けて押圧する。これにより、小窓カバー１４０Ａの第１及び第２の支軸挿入斜面部４６ａ、４６ｂが一対の第１及び第２の支軸３１ａ、３１ｂの第１及び第２の支軸嵌入斜面部３５ａ、３５ｂにより圧接されるとともに、小窓カバーＡの第１及び第２のフック挿入斜面部４６ａａ、４６ｂｂが第１及び第２のフック３２ａ、３２ｂの第１及び第２のフック嵌入斜面部３６ａ、３６ｂにより圧接される。
【００４１】
これにより、第１及び第２の支軸３１ａ、３１ｂの支軸嵌入斜面部３５ａ、３５ｂは、小窓カバー１４０Ａの第１及び第２の支軸挿入嵌入斜面部４６ａ、４６ｂをスムースに摺動するとともに、第１及び第２のフック３２ａ、３２ｂの第１及び第２のフック嵌入斜面部３６ａ、３６ｂは、小窓カバー１４０Ａの第１及び第２のフック挿入斜面部４６ａａ、４６ｂｂをスムースに摺動し、その結果、小窓カバー１４０Ａの板状部４１は外側に凸状に湾曲する。小窓カバー１４０Ａの板状部４１が湾曲することにより、第１及び第２の支軸３１ａ、３１ｂ、及び第１及び第２のフック３２ａ、３２ｂの各軸方向先端部は、小窓カバー１４０の第１及び第２の溝穴５０ａ、５０ｂ内に強制的に遊嵌される。このようにして小窓カバー１４０Ａは、本体カバー１２０Ａに装着され、窓穴１３０Ａを閉鎖する。図４はこの状態を示している。
【００４２】
小窓カバー１４０Ａが装着された電子機器ユニット１００Ａは、図示していない制御盤内のＤＩＮレールに懸架されて制御盤への装着が完了する。
【００４３】
次に、ユーザの操作者によって閉鎖位置にある小窓カバー１４０Ａを開放させる場合について説明する。図４に示すように小窓カバー１４０Ａが閉鎖位置にあるとき、矢印１３２の方向から指先を指穴空間に挿入して小窓カバー１４０Ａの操作用溝１４０３に係合させ、小窓カバー１４０Ａの前端部を持上げる。これにより、一対の第１及び第２のフック３２ａ、３２ｂの第１及び第２のフック抜出斜面部３７ａ、３７ｂが小窓カバー１４０Ａの一対の第１及び第２のフック脱出斜面部４７ａ、４７ｂを押圧して小窓カバー１４０Ａの板状部４１を図の上方に凸状に湾曲させる。
【００４４】
この状態から更に小窓カバー１４０Ａを第１及び第２の支軸３１ａ、３１ｂを中心として矢印１３４の方向に回転させると、第１及び第２のフック３２ａ、３２ｂが小窓カバー１４０Ａの第１及び第２の溝穴５０ａ、５０ｂから脱出する。そして更に小窓カバー１４０Ａを図４に示す位置に対して直角の位置まで回転させる。これにより、小窓カバー１４０Ａは、本体カバー１２０Ａの上面に直立する状態となる。
【００４５】
次に、この直立状態である第２の角度位置にある小窓カバー１４０Ａを本体カバー１２０Ａの窓穴１３０Ａ内に押し込むと、小窓カバー１４０Ａは、第１及び第２のガイドレール３３ａ、３３ｂと第１及び第２の背面レール３４ａ、３４ｂに誘導されて、反支軸側端面１４０２の近傍の一部分を残して、窓穴１３０Ａ内に窓穴１３０Ａ内に収納される。この状態で、小窓カバー１４０Ａは完全な開放位置をとることになる。このとき、操作者は窓穴１３０Ａの底面のコネクタ挿入口３８、調整窓３９を介して必要な操作を行なう。
【００４６】
次に、小窓カバー１４０Ａを開放位置から図４に示す閉鎖位置に移動させるときは、前述の開放操作とは逆の操作を行なう。即ち、操作者は、窓穴１３０Ａから突出している小窓カバー１４０Ａの反支軸側端面１４０３を指で挟みほぼ本体カバー１３０Ａの外表面に対して垂直に引き上げ、第１及び第２の支軸３１ａ、３１ｂを小窓カバー１４０Ａの第１及び第２の溝穴５０ａ、５０ｂの端壁に当接させる。この状態から、図４に示す矢印１３４とは逆の方向に小窓カバー１４０Ａを第１及び第２の支軸３１ａ、３１ｂを中心として回転させ、小窓カバー１４０Ａの第１及び第２のフック挿入斜面部４６ａａ、４６ｂｂを第１及び第２のフック３２ａ、３２ｂの第１及び第２のフック嵌入斜面部３６ａ、３６ｂに当接させる。
【００４７】
この状態で小窓カバー１４０Ａを窓穴１３０Ａに更に押し込むと、第１及び第２のフック３２ａ、３２ｂの第１及び第２のフック嵌入斜面部３６ａ、３６ｂは、小窓カバー１４０Ａの第１及び第２のフック挿入斜面部４６ａａ、４６ｂｂをスムースに摺動し、小窓カバー１４０Ａの板状部４１は外側に凸状に湾曲し、第１及び第２のフック３２ａ、３２ｂの各軸方向先端部は、小窓カバー１４０の第１及び第２の溝穴５０ａ、５０ｂ内に強制的に遊嵌される。このようにして小窓カバー１４０Ａは、図４に示す閉鎖位置に戻ることになる。
【００４８】
次に、この発明の実施の形態１による電子機器ユニットの寸法構成について明図する。図５は、図１に示すこの発明の実施の形態１による電子機器ユニットの寸法構成の詳細を示す説明図である。図５に於いて、小窓カバー１４０Ａの回動中心点Ｐ（つまり図２及び図３に示す回動中心軸１３１）を基準点として、小窓カバー１４０Ａの外表面までの寸法である外面厚さをＴ１、小窓カバー１４０Ａの内表面までの寸法である内面厚さをＴ２、支軸側端面までの最小端面距離をＬ、支軸側端面までの最大の端面距離としての最大寸法をｙ、窓穴１３０Ａの第２の窓穴内面１３０ｊまでの内壁面距離をＲとすると、小窓カバー１４０Ａの閉鎖位置に於ける支軸側端面１４０１から第２の窓穴内面１３０ｊまでの距離である間隙Ｇは、少なくとも下記の式（１）によって算出される値が必要となる。
Ｇ＝ｙ−Ｌ＝√（Ｌ2＋Ｔ12）−Ｌ＝Ｔ1×√［（Ｌ/Ｔ1）2＋1］−Ｌ  
・・・式（１）
ここで、間隙Ｇと外面厚さＴ１との比率を間隙比率Ｇ/Ｔ１とすれば、間隙比率Ｇ/Ｔ１は下記の式（２）により示される。
∴  Ｇ/Ｔ1＝√（ｘ2＋１）−ｘ      ・・・・式（２）
但し  偏在寸法比ｘ＝Ｌ/Ｔ1＞１．０
【００４９】
図６は、図５に示すこの発明の実施の形態１による電子機器ユニットの寸法構成に於ける、偏在寸法比に関する特性線図であって、横軸は偏在寸法比ｘ＝Ｌ/Ｔ1の値であり、縦軸は間隙比率Ｇ/Ｔ1の値である。図６に示すように、偏在寸法比ｘを大きくすれば間隙比率Ｇ/Ｔ1が減少することがわかる。仮に、Ｌ＝Ｔ1とし、偏在寸法比ｘ＝1とした場合には、間隙比率Ｇ/Ｔ1は「０．４１」となり間隙Ｇが大きくなる。
【００５０】
間隙Ｇが大きくなると、導電性ダストの浸入とその堆積が発生するので、偏在寸法比ｘは「１．５」〜「２．５」程度の値にしておくとともに、小窓カバー１４０Ａの支軸側端面１４０１に寸法ｙを半径とした円弧の一部を備えた三日月状の肉盛りを図５に示すように行う。ここで、ｙ＜Ｒの関係を満たすように設定されている。この肉盛りによって、閉鎖状態に於ける中心部の間隙は、寸法精度で定まる最小限度の値に短縮することができる。但し、このような肉盛りを行っても、小窓カバー１４０Ａの表面部に於いては、依然として前述の式（１）で算出される間隙が発生するので、偏在寸法比ｘはなるべく大きな値にしておくのが望ましい。
【００５１】
尚、小窓カバー１４０Ａの内面厚さＴ２の大きさは、小窓カバー１４０Ａの開閉動作とは関係がないので、外面厚さＴ１よりは大きい目にしておくことによって、第１及び第２の支軸挿入斜面部４６ａ、４６ｂや第１及び第２のフック挿入斜面部４６ａａ、４６ｂｂ、第１及び第２のフック段出斜面部４７ａ、４７ｂをなだらかな傾斜にして、小窓カバー１４０Ａの前述の装着操作や開閉操作をスムースに行うことができるようにすることが望ましい。
【００５２】
（３）実施の形態１による電子機器ユニットの要点と特徴
請求項１に記載の発明に関連し、この発明の実施の形態１による電子機器ユニット１００Ａは、回路基板１０ａと電子回路部品１１を収納した筐体２１０Ａの外面１２１に開口し、保守点検に適した窓穴１３０Ａを備え、当該窓穴１３０Ａに対して開閉自在に装着された、小窓カバー１４０Ａを有する電子機器ユニット１００Ａであって、前記筐体２１０Ａは、前記小窓カバー１４０Ａの開閉操作を行うときに、当該小窓カバー１４０Ａの回動中心となる一対の第１及び第２の支軸３１ａ、３１ｂを有するとともに、前記小窓カバー１４０Ａは、前記第１及び第２の支軸３１ａ、３１ｂにそれぞれが嵌入する一対の第１及び第２の支軸嵌入凹面４４ａ、４４ｂと、当該第１及び第２の支軸嵌入凹面４４ａ、４４ｂを取巻く一対の第１及び第２の支軸嵌入凸面４５ａ、４５ｂとによって構成された長円形状の一対の第１及び第２の溝穴５０ａ、５０ｂを備え、前記小窓カバー１４０Ａを前記窓穴１３０Ａの閉鎖位置から、直交開放位置に回動させた後、前記小窓カバー１４０Ａの少なくとも一部分を、前記第１及び第２の支軸３１ａ、３１ｂと前記第１及び第２の溝穴５０ａ、５０ｂに沿って前記筐体２１０Ａの内部に押し込んで、開放位置に於ける前記小窓カバー１４０Ａの突出高さを抑制するように構成されている。
【００５３】
請求項２に記載の発明に関連し、この発明の実施の形態１による電子機器ユニットに於いて、前記小窓カバー１４０Ａの回動中心点Ｐ（つまり回動中心軸１３１）と、前記窓穴１３０Ａの第２の窓穴内面１３０ｊと対向する前記小窓カバー１４０Ａの支軸側端面までの最小端面距離Ｌは、前記小窓カバー１４０Ａの回動中心点Ｐと、前記小窓カバー１４０Ａの外面までの外面厚さＴ1よりも大きな偏在寸法となっていて、前記窓穴１３０Ａの第
２の窓穴内面１３０ｊと対向する前記小窓カバー１４０Ａの支軸側端面までの最大間隔Ｇは、前記小窓カバー１４０Ａの回動中心点Ｐと、前記小窓カバー１４０Ａの支軸側端面までの最大寸法ｙから、前記最小端面距離Ｌを減じた値以上となるように構成されている。
即ちこの発明の実施の形態１による電子機器ユニットは、前記窓カバーの前記回動中心点をＰ、前記回動中心点Ｐから前記窓穴の内面と対向する前記窓カバーの端面までの最小端面距離をＬ、前記窓カバーの前記回動中心点Ｐから前記窓カバーの外面までの外面厚さをＴ1、前記窓穴の内面と前記窓カバーの前記端面との間隔をＧ、前記窓カバーの前記回
動中心点Ｐから前記窓カバーの前記端面までの最大寸法をｙとしたとき、前記窓カバーは、Ｌ＞Ｔ１、且つ、Ｇ≧ｙ−Ｌ≧０の関係を満たすように構成されている。従って、最小端面距離Ｌを外面厚さＬ1よりも大きくすることによって、最大間隙Ｇを小さな値にして、筐体内に異物が混入するのを防止するとともに、間隙内に浸入する塵埃の堆積を抑制することができる特徴がある。
この構成は、後述する実施の形態２に於いても同様である。
【００５４】
請求項３に記載の発明に関連し、この発明の実施の形態１による電子機器ユニットに於いて、前記小窓カバー１４０Ａの回動中心点Ｐと、前記窓穴１３０Ａの第２の窓穴内面１３０ｊと最大間隙Ｇを置いて対向する前記小窓カバー１４０Ａの仮想端面までの最小端面距離Ｌは、前記小窓カバー１４０Ａの回動中心点Ｐと、前記小窓カバー１４０Ａの外面までの外面厚さＴ1よりも大きな偏在寸法となっていて、前記仮想端面には更に、前記回動
中心点Ｐを中心として、前記小窓カバー１４０Ａの回動方向に所定半径による円弧状の肉盛りが行われて実際の支軸側端面となり、前記所定半径は、前記小窓カバー１４０Ａの回動中心点Ｐから、前記第２の窓穴内面１３０ｊまでの内壁面距離Ｒ以下の値となっている。
即ちこの発明の実施の形態１による電子機器ユニットは、前記窓カバーの前記回動中心点をＰ、前記回動中心点Ｐから前記窓穴の内面と対向する前記窓カバーの仮想端面までの最小端面距離をＬ、前記窓カバーの前記回動中心点Ｐから前記窓カバーの外面までの外面厚さをＴ1、前記窓穴の内面と前記窓カバーの前記仮想端面との間隔をＧ、前記窓カバー
の前記回動中心点Ｐから前記窓穴の内面までの距離をＲとしたとき、前記窓カバーは、Ｌ＞Ｔ１の関係を満たし、且つ、前記回動中心点Ｐを中心とする所定の半径ｙの円弧の一部の形状を備えて前記仮想端面から前記窓穴の内面側に突出して前記窓穴の内面に対向する端面を備え、ｙ≦Ｒの関係の関係を満たすように構成されている。従って、小窓カバーの回動中心点から小窓カバーの肉盛り前の支軸側端面までの寸法を、外面厚さＬ1よりも大きくすることによって、小窓カバーの肉盛り端面と窓穴内面との間隙は、各部の寸法バラツキに起因する最小限度のゼロ寸法に接近させて、筐体内に異物が混入するのを防止することができる特徴がある。又、小窓カバーの表面部における窓穴内面との陥没間隙を縮小して、間隙内に浸入する塵埃の堆積を抑制することができる特徴がある。
この構成は、後述する実施の形態２に於いても同様である。
【００５５】
請求項４に記載に発明に関連し、この発明の実施の形態１による電子機器ユニットに於いて、前記小窓カバー１４０Ａが格納される前記窓穴１３０Ａの第２の窓穴内面１３０ｊには、第１及び第２の背面レール３４ａ、３４ｂが突設され、前記第１及び第２の背面レール３４ａ、３４ｂの高さ寸法ｈは、前記小窓カバー１４０Ａの回動中心点Ｐと前記窓穴１３０Ａの第２の窓穴内面１３０ｊまでの内壁面距離Ｒから、前記外面厚さＴ1を減じた
前記回動中心点Ｐの偏在寸法以下の寸法となっている。従って、小窓カバーを筐体内に押し込むときに、小窓カバーの位置が安定し、軽度の圧入寸法としておくことにより格納状態が安定する特徴がある。尚、背面レールは２個に限らず１個のみでもよく、或いは３個以上でもよい。
この構成は、後述する実施の形態２に於いても同様である。
【００５６】
請求項５に記載の発明に関連し、この発明の実施の形態１による電子機器ユニットに於いて、前記小窓カバー１４０Ａは、板状部４１の両端に設けられた一対の第１及び第２の折曲部４２ａ、４２ｂと、当該第１及び第２の折曲部４２ａ、４２ｂの前端部を連結する連結梁４３とを一体成形した樹脂材で構成され、前記第１及び第２の折曲部４２ａ、４２ｂの外側端面には、それぞれ第１及び第２の支軸嵌入凹面４４ａ、４４ｂと、当該第１及び第２の支軸嵌入凹面４４ａ、４４ｂを取巻く第１及び第２の支軸嵌入凸面４５ａ、４５ｂとが設けられており、これ等の第１及び第２の支軸嵌入凹面４４ａ、４４ｂと第１及び第２の支軸嵌入凸面４５ａ、４５ｂは第１及び第２の溝穴５０ａ、５０ｂを構成している。そして、前記第１及び第２の支軸嵌入凸面４５ａ、４５ｂの一部は、前記第１及び第２の支軸嵌入凹面４４ａ、４４ｂからの高さ寸法が小さくなった第１及び第２の支軸挿入斜面部４６ａ、４６ｂを備え、前記小窓カバー１４０Ａを前記窓穴１３０Ａに挿入するときには、前記第１及び第２の支軸３１ａ、３１ｂの先端部が前記第１及び第２の支軸挿入斜面部４６ａ、４６ｂを押圧し、前記板状部４１が外側に湾曲することによって強制的に挿入（即ち、無理入れ）が行われ、無理入れが完了すると前記第１及び第２の支軸３１ａ、
３１ｂは前記第１及び第２の溝穴５０ａ、５０ｂに遊嵌するように構成されている。このように、樹脂材で成形された小窓カバーは、窓カバーを窓穴に挿入するときの無理入れ寸法は、支軸の遊嵌深さと支軸挿入斜面の落差によって決定されるようになっている。従って、板状部の厚さを薄くしても、連結梁によって補強されているので、十分な無理入れ押圧力によって一対の支軸を確実に溝穴に導入し、一旦溝穴に嵌入した支軸は脱落できないようにすることができる特徴がある。
この構成は、後述する実施の形態２に於いても同様である。
【００５７】
請求項６に記載の発明に関連し、この発明の実施の形態１による電子機器ユニットに於いて、前記筐体２１０Ａの窓穴１３０Ａの窓穴内面には、前記第１及び第２の支軸３１ａ、３１ｂと並んで第１及び第２のフック３２ａ、３２ｂが突設され、前記小窓カバー１４０Ａに設けられた前記第１及び第２の支軸挿入斜面部４６ａ、４６ｂは、前記第１及び第２のフック３２ａ、３２ｂの突設位置まで延長されるか、又は第１及び第２のフック挿入斜面部４６ａａ、４６ｂｂが設けられ、前記第１及び第２の支軸嵌入凸部４５ａ、４５ｂには、前記第１及び第２のフック３２ａ、３２ｂの突設位置に対応した第１及び第２のフック脱出斜面部４７ａ、４７ｂが更に設けられ、前記小窓カバー１４０Ａを前記窓穴１３０Ａに挿入するときには、前記第１及び第２の支軸３１ａ、３１ｂの先端部と前記第１及び第２のフック３２ａ、３２ｂの先端部とが、前記第１及び第２の支軸挿入斜面部４６ａ、４６ｂと前記第１及び第２のフック挿入斜面部４６ａａ、４６ｂｂを押圧し、前記板状部４１が外側に湾曲することによって無理入れが行われ、無理入れが完了すると前記第１及び第２の支軸３１ａ、３１ｂと前記第１及び第２のフック３２ａ、３２ｂは、前記第１及び第２の溝穴５０ａ、５０ｂに遊嵌し、前記小窓カバー１４０Ａを前記第１及び第２の支軸３１ａ、３１ｂを回動中心点として開放するときには、前記第１及び第２のフック３２ａ、３２ｂの先端部が前記第１及び第２のフック脱出斜面部４７ａ、４７ｂを押圧し、前記板状部４１が外側に湾曲することによって無理抜きが行われ、前記小窓カバー１４０Ａを前記第１及び第２の支軸３１ａ、３１ｂを回動中心点として開放した後で再び閉鎖するときには、前記第１及び第２のフック３２ａ、３２ｂの先端部が前記第１及び第２のフック挿入斜面部４６ａａ、４６ｂｂを押圧し、前記板状部41が外側に湾曲することによって無理入れが行われる。
従って、小窓カバーによる窓穴の閉鎖状態は、小窓カバーに設けられた溝穴に嵌入している一対のフックによって保持され、小窓カバーを開放するときのフックの脱出寸法は、フックの嵌合深さとフック脱出斜面部の落差によって決定され、必要とされる開放脱出力の大きさは、フックの突設位置と連結梁までの距離を予め調整しておくことによって適度な値に設定することができる特徴がある。又、精細な金型寸法調整を必要とする支軸の無理入れ嵌入強度と、フックの無理入れ、無理抜き強度の調整は、小窓カバーを成形する金型に集中しているので、成形試打ち段階に於ける作業効率が向上する特徴がある。
この構成は、後述する実施の形態２に於いても同様である。
【００５８】
請求項７に記載の発明に関連し、この発明の実施の形態１による電子機器ユニットに於いて、前記第１及び第２のフック３２ａ、３２ｂの突設位置と前記小窓カバー１４０Ａの連結梁４３との距離は、前記第１及び第２の支軸３１ａ、３１ｂの突設位置と前記小窓カバー１４０Ａの連結梁４３との距離の半分以上の距離となるように設定されており、前記第１及び第２の支軸３１ａ、３１ｂの先端には、それぞれに前記第１及び第２の支軸挿入斜面部４６ａ、４６ｂと当接する第１及び第２の支軸嵌入斜面３５ａ、３５ｂが設けられており、前記第１及び第２のフック３２ａ、３２ｂの先端には、それぞれに前記第１及び第２のフック挿入斜面部４６ａａ、４６ｂｂと当接する第１及び第２のフック嵌入斜面部３６ａ、３６ｂと、前記第１及び第２のフック脱出斜面部４７ａ、４７ｂと当接し得る第１及び第２のフック抜出斜面部３７ａ、３７ｂとが設けられている。
以上のとおり、第１及び第２のフックの突設位置を連結梁の位置から遠ざけるとともに、各フックの先端には嵌入斜面部と抜出斜面部とが設けられている。従って、小窓カバー
を開閉するときに、小窓カバーとフックに無理な力が作用せず、安定した開閉寿命を維持することができる特徴がある。
この構成は、後述する実施の形態２に於いても同様である。
【００５９】
請求項８及び９に記載の発明に関連し、この発明の実施の形態１による電子機器ユニットに於いて、前記第１及び第２の支軸３１ａ、３１ｂの突設高さは、前記第１及び第２のフック３２ａ、３２ｂの突設高さよりも大きく設定されていても良く、或いは、前記第１及び第２の支軸挿入斜面部４６ａ、４６ｂと前記第１及び第２の支軸嵌入凹面４４ａ、４４ｂとの最大落差は、前記第１及び第２のフック挿入斜面部４６ａａ、４６ｂｂと前記第１及び第２の支軸嵌入凹面４４ａ、４４ｂとの最大落差よりも大きく設定されてても良く、これ等の場合、前記第１及び第２の溝穴５０ａ、５０ｂと前記第１及び第２の支軸３１ａ、３１ｂの嵌入深さは、前記第１及び第２のフック３２ａ、３２ｂの嵌入深さよりも大きく設定される。
この場合、支軸と溝穴との嵌入深さは、フックと溝穴との嵌入深さよりも大きくなっているので、小窓カバーを開放するときに一対のフックによって小窓カバーの折曲部が隔開されても、一対の支軸が溝穴から脱落することがない特徴がある。尚、第１及び第２の支軸を第１及び第２の溝穴に嵌入させるのは、製品組立作業時点の１回であり、小窓カバーを破損しない範囲で十分な無理入れを行っても、小窓カバーの開閉寿命には影響しないものとなっている。
この構成は、後述する実施の形態２に於いても同様である。
【００６０】
請求項１０に記載の発明に関連し、この発明の実施の形態１による電子機器ユニットに於いて、前記一対の支軸３１ａ、３１ｂと前記第１及び第２のフック３２ａ、３２ｂとの間の位置であって、前記小窓カバー１４０Ａの回動中心軸と直交する前記窓穴１３０Ａの第１の窓穴内面１３０ｉには第１及び第２のガイドレール３３ａ、３３ｂが突設されているとともに、小窓カバー１４０Ａの回動中心軸と平行する前記窓穴１３０Ａの第２の窓穴内面１３０ｊには、１個又は複数の背面レール３４ａ、３４ｂが突設され、前記小窓カバー１４０Ａは、前記第１及び第２のガイドレール３３ａ、３３ｂと、前記１個又は複数の背面レール３４ａ、３４ｂによって挟持されて、前記筐体２１０Ａ内に格納される。
以上のとおり、窓穴内面にはガイドレールと背面レールが突設されて、小窓カバーを挟持するようになっているので、窓穴の開放状態に於いて小窓カバーを安定した状態で格納保持することができる特徴がある。
この構成は、後述する実施の形態２に於いても同様である。
【００６１】
請求項１１に記載の発明に関連し、この発明の実施の形態１による電子機器ユニットに於いて、前記小窓カバー１４０Ａの前記第１及び第２の折曲部４２ａ、４２ｂには、前記小窓カバー１４０Ａが前記窓穴１３０Ａを閉鎖した状態に於いて、前記第１及び第２のガイドレール３３ａ、３３ｂの先端部分に嵌合し当接する第１及び第２のガイドレール当接凹部４８ａ、４８ｂが設けられており、前記第１及び第２のガイドレール当接凹部４８ａ、４８ｂと前記第１及び第２のガイドレール３３ａ、３３ｂの先端部分は、台形又は円弧形状を成しており、前記小窓カバー１４０Ａを閉鎖したときに相互に求心動作を行って、前記小窓カバー１４０Ａの支軸側端面と前記窓穴１３０Ａの第２の窓穴内面１３０ｊとの間隙寸法が決定されるようになっている。
以上のとおり、小窓カバーを閉鎖したときの小窓カバーの位置は、小窓カバーとガイドレールに設けられた嵌合当接部の求心作用によって決定されるようになっているので、小窓カバーを開放するときに、開放操作力の分力によって小窓カバーの支軸側端面が窓穴の内面に押圧されるのを回避・減殺し、小窓カバーとガイドレールの先端部との嵌合部に押圧力が作用して、嵌合斜面からの分力によって小窓カバーを開放する方向に作用するとともに、小窓カバーの支軸側端面が窓穴の内面に押圧されないことによって、小窓カバーの円滑回動が可能となる特徴がある。
この構成は、後述する実施の形態２に於いても同様である。
【００６２】
請求項１２に記載の発明に関連し、前記筐体２１０Ａは、相互にねじ止め又は嵌合固定されるベース1１０と本体カバー１２０Ａによって構成され、前記ベース1１０又は前記本体カバー１２０Ａの一方又は両方には、四方の周壁面１１２〜１１５、１２２〜１２５が設けられて、１枚又は複数枚の回路基板１０ａが収納固定されており、前記ベース1１０
又は前記本体カバー１２０Ａの一方に固定されている回路基板１０ａには、可変抵抗又はスイッチで代表される調整部品若しくは選択操作部品１３、或いは、メモリカード又は電池で代表される取換部品若しくは交換部品に対するコネクタ１２の少なくとも一方が搭載され、前記窓穴１３０Aは前記本体カバー１２０Ａの外面１２１に設けられ、当該窓穴１３０Ａの内部には前記調整部品若しくは選択操作部品１３、或いは前記取換部品若しくは交換部品に対するコネクタ１２が配置されている。
従って、可変抵抗やスイッチなどに対する調整・選択操作や、バッテリやメモリカードに関する取換・交換作業は、本体カバーを開けなくても、小窓カバーを開けて手軽に行うことができるとともに、操作部品やコネクタがリード線で引出されていないので、ノイズによる誤動作が発生しにくい特徴がある。
【００６３】
実施の形態２．
（１）構成及び作用の詳細な説明
図７は、この発明の実施の形態２による電子機器ユニットの全体構成を示す斜視図、図８は、図７のＶＩＩＩ−ＶＩＩＩ線に沿う部分断面図である。以下の説明では、前述の実施の形態１による図１、図４の場合との相違点を中心にして、その構成と小窓カバーの開閉操作を詳細に説明する。尚、各図に於いて同一符号は同一又は相当部分を示している。
【００６４】
先ず、図７に於いて、電子機器ユニット１００Ｂは、樹脂製のベース１１０と、樹脂製の本体カバー１２０Ｂと、ベース１１０又は本体カバー１２０Ｂの何れか一方又は相互に分散して収納された１枚又は複数枚の回路基板１０ａ、１０ｂ、１０ｃとによって構成されている。ベース1１０は、図示していない底面1１１と四方の周壁面（図１に於ける符号１１２〜１１５に相当する）を備えるとともに、本体カバー１２０Ｂは、外面１２１と四方の周壁面（図１に於ける符号１２２〜１２５に相当する）を備えており、ベース１１０と本体カバー１２０Ｂは、図示していないネジ止め機構によって相互に固定され、相互の開口面が封鎖されたる筐体２１０Ｂを構成するようになっている。
【００６５】
本体カバー１２０Ｂ又はベース１１０側に予め固定されている回路基板１０ａには、複数の電子回路部品１１と、図示していないメモリカード或いはバッテリ等の取換部品若しくは交換部品を接続するためのコネクタ１２、可変抵抗或いはデイップスイッチ等の調整部品若しくは選択操作部品１３、及びプログラムツール又は設定表示機器で代表される外部機器をシリアル信号回線で接続するための通信用コネクタ１４が搭載されている。
【００６６】
本体カバー１２０Ｂの外面１２１には、窓穴１３０Ａと、この窓穴１３０Ａを開放又は閉鎖するための窓カバーとしての小窓カバー１４０Ａとが設けられており、前記コネクタ１２と調整部品若しくは選択操作部品１３とは、この窓穴１３０Ａに対応した位置に配置されている。又、本体カバー１２０Ｂの外面１２１には窓穴１３０Ｂと、この窓穴１３０Ｂを開放又は閉鎖するための小窓カバー１４０Ｂとが設けられており、前記通信用コネクタ１４は、この窓穴１３０Ｂに対応した位置に配置されている。
【００６７】
尚、小窓カバー１４０Ａは、図２により前述した第１及び第２の支軸３１ａ、３１ｂによって窓穴１３０Ａ内に枢着されて手動開閉できるように構成されている。同様に、小窓カバー１４０Ｂは、図２により前述した第１及び第２の支軸３１ａ、３１ｂによって窓穴１３０Ｂ内に枢着されて個別に手動開閉できるように構成されている。又、ベー１１０の
底面１１１には、図示していないＤＩＮレール用のフックが設けられており、図示していない制御盤内のＤＩＮレールに懸架して設置されるようになっている。この場合、図７に示すとおり、窓穴１３０Ａ、１３０Ｂが電子機器ユニット１００Ｂの側面位置に配置されていると、同じＤＩＮレールに隣接して懸架された他の機器が障害となって、小窓カバー１４０Ａ、１４０Ｂを開放直交位置を越えて回動することができない状況となる。
【００６８】
次に、図８に於いて、小窓カバー１４０Ｂの左側面では、第２の折曲部４２ｂと、第２の支軸嵌入凹面４４ｂと、第２の支軸嵌入凸面４５ｂと、第２の支軸挿入斜面部４６ｂとが示されており、第２の支軸嵌入凹面４４ｂと第２の支軸嵌入凸面４５ｂによって形成された第２の溝穴５０ｂには、第２の支軸嵌入斜面３５ｂを有する第２の支軸３１ｂが遊嵌している。小窓カバー１４０Ｂの右側面位置に於ける第１の支軸３１ａと第１の溝穴５０ａの関係も、図８には図示されていないが第２の支軸３１ｂ第２の溝穴５０ｂの関係と同様である。
【００６９】
又、小窓カバー１４０Ｂの右側面では、第１の折曲部４２ａと、第１の支軸嵌入凹面４４ａと、第１の支軸嵌入凸面４５ａと、第１のフック挿入斜面部４６ａａと、第１のフック脱出斜面部４７ａが示されており、第１の支軸嵌入凹面４４ａと第１の支軸嵌入凸面４５ａによって構成された第１の溝穴５０ａには、 第１のフック嵌入斜面３６ａと第１の
フック抜出斜面部３７ａを有する第２のフック３２ａが遊嵌している。小窓カバー１４０Ｂの左側面位置に於ける第２のフック３２ｂと第２の溝穴５０ｂの関係も、図８には図示されていないが第１のフック３２ａと第１の溝穴５０ａの関係と同様である。
【００７０】
従って、図４と図８は、断面方向が異なるものであって、第１及び第２の支軸３１ａ、３１ｂと第１及び第２のフック３２ａ、３２ｂと小窓カバー１４０Ａ、１４０Ｂとの相対関係は、図８の場合も図４の場合と同一である。
【００７１】
以上の説明では、窓穴１３０Ａは交換部品用コネクタと調整部品若しくは操作部品を対象とし、窓穴１３０Ｂは通信用コネクタを対象としているが、これ等の用途は適宜に分散又は統合することができるとともに、窓穴の寸法や配置についても適材適所の設計を行うことができる。例えば、様々なオプション機能を発揮するための多様な特殊アダプタの一つを窓穴内のコネクタに接続したり、小窓カバーの回動中心軸を図１に於ける周壁面１２３又は周壁面１２５と平行する方向に設けることができる。
【００７２】
以上の説明では、ベース1１０と本体カバー１２０Ａ、１２０Ｂがそれぞれに四方の周
壁１１２〜１１５、１２２〜１２５を有するものとしたが、例えばベース１１０は四方の周壁を持たないで底面１１１のみを形成し、１枚の回路基板が四方の周壁を有する本体カバー１２０Ａ、１２０Ｂ内に組み込まれるようにしてもよい。同様に、例えば本体カバー１２０Ａ、１２０Ｂは四方の周壁を持たないで外面１２１のみを形成し、１枚の回路基板を四方の周壁を有するベース１１０内に組み込むようにして、窓穴は本体カバーの外面に設け、この窓穴を開閉する小窓カバーはベース側に設けるようにすることも可能である。
【００７３】
（２）実施形態２の要点と特徴
請求項１に記載の発明に関連し、この発明の実施の形態２による電子機器ユニット１００Ｂは、回路基板１０ａと電子回路部品１１を収納した筐体２１０Ｂの外面１２１に、保守点検に適した窓穴１３０Ａ、１３０Ｂを設け、当該窓穴１３０Ａ、１３０Ｂに対して開閉自在に装着された小窓カバー１４０Ａ、１４０Ｂを有する電子機器ユニット１００Ｂであって、前記筐体２１０Ｂは、前記小窓カバー１４０Ａ、１４０Ｂの開閉操作を行うときに、当該小窓カバー１４０Ａ、１４０Ｂの回動中心となる第１及び第２の支軸３１ａ、３１ｂを有するとともに、前記小窓カバー１４０Ａ、１４０Ｂは、前記第１及び第２の支軸３１ａ、３１ｂにそれぞれが嵌入する第１及び第２の支軸嵌入凹面４４ａ、４４ｂと、当
該第１及び第２の支軸嵌入凹面４４ａ、４４ｂを取巻く第１及び第２の支軸嵌入凸面４５ａ、４５ｂとによって構成された長円形状の第１及び第２の溝穴を備え、前記小窓カバー１４０Ａ、１４０Ｂを前記窓穴１３０Ａ、１３０Ｂの閉鎖位置から、直交開放位置に回動させた後、前記小窓カバー１４０Ａ、１４０Ｂの少なくとも一部分を、前記第１及び第２の支軸３１ａ、３１ｂと前記第１及び第２の溝穴５０ａ、５０ｂに沿って前記筐体２１０Ｂの内部に押し込んで、開放位置に於ける前記小窓カバー１４０Ａ、１４０Ｂの突出高さを抑制するようになっている。
【００７４】
請求項１２に記載の発明に関連し、前記筐体２１０Ｂは、相互にネジ止め又は嵌合固定されるベース１１０と本体カバー１２０Ｂによって構成され、前記ベース１１０又は前記本体カバー１２０Ｂの一方又は両方には、四方の周壁面1１２〜１１５、１２２〜１２５
が設けられて、１枚又は複数枚の回路基板１０ａ〜１０ｃが収納固定されており、前記ベース１１０又は前記本体カバー１２０Ｂの一方に固定されている回路基板１０ａには、可変抵抗又はスイッチで代表される調整部品若しくは選択操作部品１３、或いは、メモリカード又は電池で代表される取換部品若しくは交換部品に対するコネクタ12の少なくとも一方が搭載され、前記窓穴１３０Ａは前記本体カバー１２０Ｂの外面１２１に設けられ、当該窓穴１３０Ａの内部には前記調整部品若しくは選択操作部品１３、或いは前記取換部品若しくは交換部品に対するコネクタ１２が配置されている。
従って、可変抵抗やスイッチなどに対する調整・選択操作や、バッテリやメモリカードに関する取換・交換作業は、本体カバーを開けなくても、小窓カバーを開けて手軽に行うことができるとともに、操作部品やコネクタがリード線で引出されていないので、ノイズ誤動作が発生しにくい特徴がある。
【００７５】
更に、請求項１２に記載の発明に関連し、前記筐体２１０Ｂは、相互にネジ止め又は嵌合固定されるベース１１０と本体カバー１２０Ｂによって構成され、前記ベース１１０又は前記本体カバー１２０Ｂの一方又は両方には、四方の周壁面１１２〜１１５、１２２〜１２５が設けられて、１枚又は複数枚の回路基板１０ａ〜１０ｃが収納固定されており、前記ベース１１０又は前記本体カバー１２０Ｂの一方に固定されている回路基板１０ａには、プログラムツール又は設定表示機器で代表される外部機器をシリアル信号回線で接続するための通信用コネクタ１４が設けられ、前記窓穴１３０Ｂは前記本体カバー１２０Ｂの外面１２１に設けられ、当該窓穴１３０Ｂの内部には前記が外部機器を接続するための前記通信用コネクタ１４が配置されている。以上のとおり、筐体を構成するベースと本体カバーのいずれか一方にはプログラムツール又は設定表示機器で代表される外部機器をシリアル信号回線で接続するための通信用コネクタが設けられ、本体カバーの外面に設けられた窓穴の内部には当該通信用コネクタが配置されている。
従って、必要に応じて適時に使用される外部機器は、本体カバーを開けなくても、小窓カバーを開けて手軽に接続することができるとともに、外部機器を接続しないときには小窓カバーによって通信用コネクタを封鎖しておくことができる特徴がある。
【００７６】
又、この発明の実施の形態２による電子機器ユニットは、請求項２乃至１１に記載の発明に関連する構成をも備えている。
【００７７】
尚、この発明は、その発明の範囲内に於いて、各実施の形態を自由に組み合わせたり、各実施の形態を適宜、変形、省略することが可能である。
【符号の説明】
【００７８】
１０ａ〜１０ｃ  回路基板、１１  電子回路部品、１２  コネクタ、１３  調整部品若しくは選択操作部品、１４  通信用コネクタ、３１ａ  第１の支軸、３１ｂ  第２の支軸、３２ａ  第１のフック、３２ｂ  第２のフック、３３ａ  第１のガイドレール、３３ｂ  第２のガイドレール、３４ａ  第１の背面レール、３４ｂ  第２の背面レール、３５ａ  第１の支軸嵌入斜面部、３５ｂ  第２の支軸嵌入斜面部、３６ａ  第１のフック嵌入斜面部、３６ｂ  第２のフック嵌入斜面部、３７ａ  第１のフック抜出斜面部、３７ｂ  第２のフック抜出斜面部、３８  コネクタ挿入口、３９  調整窓、４１  板状部、４２ａ  第１の折曲部、４２ｂ  第２の折曲部、４３  連結梁、４４ａ  第１の支軸嵌入凹面、４４ｂ  第２の支軸嵌入凹面、４５ａ  第１の支軸嵌入凸面、４５ｂ  第２の支軸嵌入凸面、４６ａ  第１の支軸挿入斜面部、４６ｂ  第２の支軸挿入斜面部、４６ａａ  第１のフック挿入斜面部、４６ｂｂ  第２のフック挿入斜面部、４７ａ  第１のフック脱出斜面部、４７ｂ  第２のフック脱出斜面部、４８ａ  第１のガイドレール当接凹部、４８ｂ  第２のガイドレール当接凹部、５０a  第１の溝穴、５０ｂ  第２の溝穴、１００Ａ、１００Ｂ  電子機器ユニット、１１０  ベース、１１１  底面、１１２、１１３、１１４、１１５  ベース周壁面、１２０Ａ、１２０Ｂ  本体カバー、１２１  外面、１２２、１２３、１２４、１２５  本体カバーの周壁面、１２６  内壁、１３０Ａ、１３０Ｂ  窓穴、１３１  回動中心軸、１３０ｉ  第１の窓穴内面、１３０ｊ  第２の窓穴内面、１４０Ａ、１４０Ｂ  窓カバー（小窓カバー）、１４０１  窓カバーの支軸側端面、１４０２  窓カバーの反支軸側端面、１４０３  操作用溝、２１０Ａ、２１０Ｂ  筐体、Ｇ  最大間隔、ｈ  高さ寸法、Ｌ  最小端面距離、Ｐ  回動中心点、Ｒ  内壁面距離、Ｔ１  外面厚さ、ｙ  最大寸法。
【要約】
【課題】筐体の窓穴を開閉する窓カバーの脱落や紛失を防止し、窓穴開放時に窓カバーが操作の障害にならないよう筐体内に窓カバーを格納する。
【解決手段】電子機器ユニット１００Ａの筐体の外面１２１に設けられた窓穴１３０Ａは、一対の支軸３１ａ、３１ｂを中心として矢印１３４方向に回動する窓カバー１４０Ａによって開放/封鎖され、小窓カバー１４０Ａは、一対の支軸嵌入凹面４４ａ、４４ｂとこれを取巻く支軸嵌入凸面４５ａ、４５ｂとによって構成された長円形状の溝穴を有し、直交開放された窓カバー１４０Ａは、前記支軸と溝穴に沿って筐体内部に挿入、格納される。
【選択図】図４【図２】
0005523596.tif 000002
【図４】
0005523596.tif 000003
【図８】
0005523596.tif 000004
【図１】
0005523596.tif 000005
【図３】
0005523596.tif 000006
【図５】
0005523596.tif 000007
【図６】
0005523596.tif 000008
【図７】
0005523596.tif 000009